(57)【要約】【課題】外科手術時に体内から流出する血液を吸収したガーゼを取り出し、最後に術者が一枚いちまい枚数を数えて体内での残留するガーゼゼロを確認しなければ、手術は完了しない。術後の枚数計算は大変な時間と煩わしい作業であって開放が望まれている。また同時に血液の流出量の概略が測れれば術後の処置に利用できる。【解決手段】外科手術時、体内より流出した血液の付着したガーゼを一定の処におき、自動的にガーゼ枚数と血液量を計測できる装置を開発する。【選択図】              図１
2004313260.tif 000002
【特許請求の範囲】
【請求項１】
外科手術に用いる滅菌したガーゼの投入枚数と使用済み枚数の照合と同時に手術で使用済のガーゼに付着した血液量を計測するガーゼ計測装置。
【請求項２】
前記滅菌したガーゼは手術用に裁断した後折り畳まれた状態であり一枚一枚に無線タグを織り込んだ又は無線タグを樹脂にて封着したガーゼ。
【請求項３】
前記手術で使用した全ての血液付着ガーゼを受けて計量し、手術に投入したガーゼの計量値を差し引いてガーゼに含まれた血液量を計測することを特徴とする請求項１に記載のガーゼ計測装置。
【請求項４】
前記手術で使用した全ての血液付着ガーゼを受けるときに、ガーゼに取付けられた無線タグに記憶されたデータを読み取り、ガーゼの枚数を計測することを特徴とする請求項１に記載のガーゼ計測装置。
【請求項５】
前記手術で使用した全ての血液付着ガーゼを受けるときに、同時に複数枚使用したガーゼの無線タグに記憶されたデータを読み取り同時処理して、ガーゼの枚数を計測することを特徴とする請求項１に記載のガーゼ計測装置。
【発明の詳細な説明】
【０００１】
【発明が属する技術分野】
無線タグを利用した外科医療に使用するガーゼの枚数計測と外科手術時の拭浄血液量の計測に関する。
【０００２】
【従来の技術】
規模の大きな外科手術においては手術中に流出する血液量が多量である場合も有り、一般にガーゼに吸収させて手術部位の露出をし、正確な切開、切除、縫合等を順調に実施している。しかし肝心の手術が完了しても、体内に挿入して血液の手術障害を減ずるためのガーゼは全て体外に排除され完全に取り出したことを確認するまでは全手術が完了したことにはならない。
【０００３】
体内に残余があれば必ず後日不具合が発生することは明らかであるために、手術後ガーゼの投入枚数と使用取り出し枚数を照合してはじめて完了となる。ここで関係者が山のように置かれた、血液を吸収したガーゼの枚数一枚一枚を数えるのが日常業務となって面倒な作業となっている。
【０００４】
【発明が解決しようとする課題】
手術中に体内から流出する血液を吸収したガーゼを取り出す毎に、術者が数えることなく手術の終了時までに枚数を数えることができれば、全手術の完了時間も短縮され、術後枚数計算の時間・手間もいらなくなる。
【０００５】
【発明が解決するための手段】
規模の大きな外科手術の全ての立会者は手術そのものに集中しており、ガーゼの使用枚数や出血量を数値で把握していない。ガーゼに取付けられた無線タグによってガーゼに番号を付け、体内より排出した使用済みガーゼを一定の処に置きその枚数を計算して体内に残留するガーゼゼロを確認し手術を終了する。この用途に適した自動計測装置を開発使用すればトータルの手術時間短縮に貢献できる。
また同時に血液の流出量の概略がわかれば術後の処置の参考データとなる利点がある。
【０００６】
【発明の実施の形態】
上記装置の環境は、コンパクトであり術者が身体を寄せ合って作業する狭い場所で、手術の邪魔にならないこと。また静かに動作し、確実な枚数計測が可能であること等を考慮して設計される必要がある。
【０００７】
一方無線タグの急速な進歩によって０．４ｍｍ角の超小型ＩＣチップが開発され、記憶容量１２８ビットのＲＯＭが内蔵されたもので本用途に充分な能力を持っている。チップに必要なデータを記憶させたものを、ガーゼに織り込むか樹脂で封止固定させたものを手術に使用すれば、ＩＣチップが使用後に体内に残留することなく枚数の検出が容易にできる。
【０００８】
以上を考慮した計測装置の概略を図１に示す。計測装置（１）は表示器（２）リセットボタン（３）モード切り替えボタン（４）ＲＦ−ＩＤリーダ（６）及び秤量器（７）を備え、ＲＦ−ＩＤリーダ（６）から弱い電波を発生して、ガーゼ受け容器（１０）に投入された血液の付着したガーゼ（９）を計数・計量し演算後表示する。使用済ガーゼと付着した血液からガーゼ枚数と血液量が表示される。
モードを切替えることによってガーゼの仕様、供給元、納入日、ロット番号等が読み取れる。
【０００９】
本計測装置を使用するときは手術台の近傍に置き、図２のように使用済の血液を含んだガーゼ（９）を容器（１０）内に投入すると、ＲＦ‐ＩＤセンサ（６）のアンテナから弱い電波を発信してガーゼ（９）中の無線タグ（極めて小さく無表示）に記憶されたナンバーおよびデータを読み取り表示する。使用済みガーゼを装置に投入する毎に計測する方法と全ての投入が終了した時に計測する方法が利用できるが、簡単なのは後者で、手術終了縫合前、手術で使用したガーゼを手術部位から全部取り出した時点で、本計測装置の図１のリセットボタン（４）を押し無線によって無線タグと交信し、使用した枚数を計測して体内残留ガーゼ数ゼロの表示（２）確認をする。その後縫合し手術完了となる。
【００１０】
従来は手術時に出血した量を計測する手段が特になく、図３のように本計測装置を使用することによって使用済みガーゼの計量をして出血量の大凡が計測できる。即ちガーゼ使用前の手術投入重量を計り、総枚数と一枚毎の平均値を本計測装置に記憶し、手術終了時の枚数確認によって投入ガーゼ重量と使用済ガーゼの重量を差し引きして出血量を得る。このようにして出血量を測ったデータは術後の処置に利用することができる。
【００１１】
容器内に蓄えられた使用済みガーゼ枚数を読み取るヒントはいくつかの申請特許中に示されている。例えば特開２０００‐１１３１２７、特開２００１−２０２４８１、特開２００１−１３４７２９、特開２００２−９２１１４。
本発明においては、基本的な使用法として各ガーゼ毎にＩＤナンバーを順数で付け、順番に呼び出して計数する方法をとる。その理由はガーゼ枚数がそれほど多くない、読み出し時間は充分にありＩＤナンバーの若い順番から呼び出してカウントすることで間に合う。従って前記特許には抵触しない方法で可能である。
【００１２】
【発明の効果】外科手術において体内に挿入して血液による手術障害を減ずるためのガーゼは、術後全て体外に排除され完全に取り出したことを確認するまでは全手術が完了したことにはならない。ガーゼの投入枚数と使用済の体外へ取り出した枚数を照合してはじめて完了となる。
関係者が山のように置かれた、血液を吸収したガーゼの枚数一枚一枚を数えるのが日常業務となっている。本発明の装置を使用することによってこの面倒な作業から開放され手術時間も短縮できる。手術完了時の枚数確認によって投入ガーゼ重量と使用済ガーゼの重量を差し引きして出血量を得る。このようにして出血量を測ったデータは術後の処置に利用することができる。
【図面の簡単な説明】
【図１】本発明の計測装置外観図である。
【図２】本発明の計測装置を側面より見た図で、医療ガーゼ使用後に投入する図
【図３】本発明の計測装置によって医療ガーゼ枚数と付着血液量を計測する手順を示したフロー。
【符号の説明】
１  計測装置本体
２  ディスプレイ
３  ＭＯＤＥ切替ボタン
４  リセット  ボタン
５  パワースイッチ
６  ＲＦ−ＩＤリーダ
７  秤量台（ガーゼ重量を計測するセンサ）
８  計測の電波
９  計測する使用済ガーゼ
１０  ガーゼ受け容器
【図１】
2004313260.tif 000003
【図２】
2004313260.tif 000004
【図３】
2004313260.tif 000005